(57)【要約】【課題】本発明はイメージセンサの動作確認方法及び動作確認装置並びに動作確認プログラムに関し、イメージセンサの不良を確実に判定することができるようにすることを目的としている。【解決手段】取引時に取引カードをイメージセンサで読み取り、そのイメージを印刷記録するシステムにおいて、前記取引カード２のイメージを読み取るイメージセンサ３と、該イメージセンサ３で読み取ったイメージデータを記憶するイメージメモリ４と、該イメージメモリ４にデータを書き込み、又はイメージメモリ４からデータを読み出す書込／読出手段６と、予め前記イメージメモリ４の所定の位置に特定のコードを書き込んでおき、前記イメージセンサ３で読み取ったイメージデータが前記イメージメモリ４に書き込まれた後、その内容を読み出し、特定のコードが読み出された場合にはイメージセンサ不良と判定する制御手段１と、を具備して構成する。【選択図】      図２
2004282457.tif 000002
【特許請求の範囲】
【請求項１】
取引時に取引カードをイメージセンサで読み取り、そのイメージを印刷記録するシステムにおいて、
前記取引カードのイメージを記憶するメモリ上の所定の位置に予め特定のコードを書き込み（ステップ１）、
前記取引カードを前記イメージセンサで読み取って前記メモリに書き込み（ステップ２）、
前記メモリから書き込まれたデータを読み出す場合において、前記特定のコードが読み出された場合にはイメージセンサ不良と判定する（ステップ３）、
ことを特徴とするイメージセンサの動作確認方法。
【請求項２】
取引時に取引カードをイメージセンサで読み取り、そのイメージを印刷記録するシステムにおいて、
前記取引カードのイメージを読み取るイメージセンサと、
該イメージセンサで読み取ったイメージデータを記憶するイメージメモリと、該イメージメモリにデータを書き込み、又はイメージメモリからデータを読み出す書込／読出手段と、
予め前記メモリの所定の位置に特定のコードを書き込んでおき、前記イメージセンサで読み取ったイメージデータが前記イメージメモリに書き込まれた後、その内容を読み出し、特定のコードが読み出された場合にはイメージセンサ不良と判定する制御手段と、
を具備することを特徴とするイメージセンサの動作確認装置。
【請求項３】
取引時に取引カードをイメージセンサで読み取り、そのイメージを印刷記録するシステムにおいて、
前記取引カードのイメージを記憶するメモリ上の所定の位置に特定のコードを書き込む工程（ステップ１）と、
前記取引カードを前記イメージセンサで読み取って前記メモリに書き込む工程（ステップ２）と、
前記メモリから書き込まれたデータを読み出す場合において、前記特定のコードが読み出された場合にはイメージセンサ不良と判定する工程（ステップ３）、とをコンピュータで実行することを特徴とするイメージセンサの動作確認プログラム。
【発明の詳細な説明】
【０００１】
【発明の属する技術分野】
本発明はイメージセンサの動作確認方法及び動作確認装置並びに動作確認プログラムに関し、更に詳しくは現金自動預け払い機（ＡＴＭ）やキャッシュディスペンサ（ＣＤ）等で用いられるイメージセンサ（エンボスセンサともいう）の動作確認方法及び動作確認装置並びに動作確認プログラムに関する。
【０００２】
【従来の技術】
従来の現金自動預け払い機（ＡＴＭ）やキャッシュディスペンサ（ＣＤ）等におけるカード読取装置としては、マークカードのイメージを読み取る際に、マークカードが斜行しているか否かにかかわらず、マークカードに形成されたマークを確実に読み取る技術がある（例えば特許文献１参照）。
【０００３】
現金自動預け払い機（ＡＴＭ）やキャッシュディスペンサ（ＣＤ）等では、取り引きの記録として、１取引毎に取引履歴と取引カードのイメージを保存している。取引履歴は、例えばメモリに記憶され、取引カードのイメージは、イメージセンサで読み取られ、ジャーナルプリンタと呼ばれるプリンタで印刷される。ここで、ジャーナルプリンタは、ロール状の記録紙に印字ヘッドで印字するようになっている。
【０００４】
図６は、従来の取引システムの概念図である。図において、１は全体の動作を制御するＣＰＵ、２は取引カード、３は取引カード２のイメージを読み取るイメージセンサ、４は該イメージセンサ３で読み取ったカードイメージを記憶するイメージメモリ、５はイメージメモリ４に記憶されたカードイメージを印刷するジャーナルプリンタである。なお、イメージセンサ３はエンボスセンサと呼ばれる場合がある。ここで、“エンボス”とは取引カードにその表面から文字や記号を浮かせて形成されたものをいう。
【０００５】
このように構成された装置において、ＣＰＵ１からイメージセンサ３に対して読み取り指示を行なうと、該イメージセンサ３は取引カード２のイメージを読み取る。読み取られたカードイメージはイメージメモリ４に書き込まれる。ここで、カードイメージをイメージメモリ４に記憶させると、イメージセンサ３はＣＰＵ１に対して書き込み終了信号を通知する。ＣＰＵ１では、この書き込み終了信号を受けると、イメージメモリ４の内容を読み出して、ジャーナルプリンタ５に印刷させる。ジャーナルプリンタ５の記録紙には、取引カード２のイメージが印刷される。
【０００６】
【特許文献１】
特開２００３−１６３８１号公報（第３頁〜第５頁、図１）
【０００７】
【発明が解決しようとする課題】
前述した従来の現金自動預け払い機（ＡＴＭ）やキャッシュディスペンサ（ＣＤ）等の取引装置には、ハードウェア的にイメージセンサ３の障害を検出する手段がないため、イメージセンサ３が故障していた場合、イメージ読み出し領域にイメージデータが正常に読み込まれたか否かをイメージ読み取り時に検知することができなかった。このため、イメージセンサ３が故障していた場合、取引カード２のイメージが正常に読み込まれていないのにもかかわらず、イメージメモリ４のイメージ読み取り領域に残っているカードイメージをジャーナルプリンタで印刷してしまう。この結果、取引装置に記憶されている取引履歴と、印刷されたカードイメージとの食い違いが発生するという問題があった。
【０００８】
本発明はこのような課題に鑑みてなされたものであって、イメージセンサの不良を確実に判定することができるイメージセンサの動作確認方法及び動作確認装置並びに動作確認プログラムを提供することを目的としている。
【０００９】
【課題を解決するための手段】
（１）請求項１記載の発明は、以下の通りである。図１は本発明方法の原理を示すフローチャートである。本発明は、取引時に取引カードをイメージセンサで読み取り、そのイメージを印刷記録するシステムにおいて、前記取引カードのイメージを記憶するメモリ上の所定の位置に予め特定のコードを書き込み（ステップ１）、前記取引カードを前記イメージセンサで読み取って前記メモリに書き込み（ステップ２）、前記メモリから書き込まれたデータを読み出す場合において、前記特定のコードが読み出された場合にはイメージセンサ不良と判定する（ステップ３）、ことを特徴とする。
【００１０】
この発明では、予めメモリに特定のコードを書き込んでおき、その後イメージセンサで読み取ったカードイメージ情報をメモリに書き込むようにする。イメージセンサが正常であれば、前記特定のコードはカードイメージにより上書きされて消失する。イメージセンサ不良の場合には、カードイメージを読み取らないので、メモリに記憶された特定コードは消失せずに残っている。そこで、メモリから特定のコードが読み出された場合にはイメージセンサ不良と判定することができ、イメージセンサの不良を確実に判定することができる。
（２）請求項２記載の発明は、以下の通りである。図２は本発明の原理ブロック図である。図６と同一のものは、同一の符号を付して示す。図に示すシステムは、取引時に取引カードをイメージセンサで読み取り、そのイメージを印刷記録するシステムを構成している。図において、２は取引カード、３は該取引カード２のイメージを読み取るイメージセンサ（エンボスセンサ）、４は該イメージセンサ３で読み取ったイメージデータを記憶するイメージメモリ、６は該イメージメモリ４にデータを書き込み、又はイメージメモリ４からデータを読み出す書込／読出手段、１は予め前記イメージメモリ４の所定の位置に特定のコードを書き込んでおき、前記イメージセンサで読み取ったイメージデータが前記イメージメモリ４に書き込まれた後、その内容を読み出し、特定のコードが読み出された場合にはイメージセンサ不良と判定する制御手段としてのＣＰＵである。
【００１１】
この発明では、予めイメージメモリ４に特定のコードを書き込んでおき、その後イメージセンサ３で読み取ったカードイメージ情報をイメージメモリ４に書き込むようにする。イメージセンサ３が正常であれば、前記特定のコードはカードイメージにより上書きされて消失する。イメージセンサ３が不良の場合には、カードイメージを読み取らないので、イメージメモリ４に記憶された特定コードは消失せずに残っている。そこで、イメージメモリ４から特定のコードが読み出された場合にはイメージセンサ不良と判定することができ、イメージセンサの不良を確実に判定することができる。
（３）請求項３記載の発明は、取引時に取引カードをイメージセンサで読み取り、そのイメージを印刷記録するシステムにおいて、前記取引カードのイメージを記憶するメモリ上の所定の位置に特定のコードを書き込む工程（ステップ１）と、前記取引カードを前記イメージセンサで読み取って前記メモリに書き込む工程（ステップ２）と、前記メモリから書き込まれたデータを読み出す場合において、前記特定のコードが読み出された場合にはイメージセンサ不良と判定する工程（ステップ３）、とをコンピュータで実行することを特徴とする。
【００１２】
このように構成すれば、イメージセンサの動作不良を検出する工程をプログラムで実行することが可能となる。
【００１３】
【発明の実施の形態】
以下、図面を参照して本発明の実施の形態例を詳細に説明する。
【００１４】
図３は本発明の動作の一例を示すフローチャートである。本発明システムとしては、図２に示す構成を用いる。先ず、ＣＰＵ１は書込／読出手段６を起動してイメージメモリ４内に特定コードである文字コードを予め書き込む（Ｓ１）。なお、特定コードは文字コードに限るものではなく、その他のコードを用いることができる。ここで、文字コードが記憶されるイメージ領域はイメージメモリ４の取引カード２のイメージ情報が記憶される部分の全部領域又は一部領域である。
【００１５】
次に、ＣＰＵ１は取引装置のカード挿入口にある挿入検知センサ（図示せず）から取引カード２が挿入されたかどうかをチェックする（Ｓ２）。取引カード２が挿入された場合には、ＣＰＵ１はモータ（図示せず）を起動して取引カード２の取引装置内への引き込みを開始する（Ｓ３）。この取引カード２を退避位置まで搬送する間に以下の処理を行なう。先ず媒体（取引カード）長をチェックする（Ｓ４）。ステップＳ４は、取引カード２が所定の長さであるかどうかチェックするものである。
【００１６】
次に、ＣＰＵ１は取引カード２に形成されているＭＳ（磁気ストライプ）の内容を読み取る（Ｓ５）。ステップＳ５は、主として取引カード２の口座番号を読み取るものである。次に、ＣＰＵ１からイメージセンサ３に読み取り指示が出され、搬送中の取引カードのイメージをイメージセンサ３で読み取る（Ｓ６）。ここで、イメージセンサ３としては、例えばＣＣＤが用いられる。読み取られたイメージデータは、書込／読出手段６によりイメージメモリ４に書き込まれる。
【００１７】
イメージセンサ３又は書込／読出手段６からＣＰＵ１に対して書き込み終了信号が通知される。ＣＰＵ１は搬送機構（図示せず）により、取引カード２を取引装置の退避位置まで搬送する（Ｓ７）。その後、ＣＰＵ１はモータを停止させる（Ｓ８）。この段階で、イメージメモリ４には取引カード２のイメージデータが記憶されているはずであるから、ＣＰＵ１は書込／読出手段６を起動してイメージメモリ４に記憶されている文字コードを読み出してチェックする（Ｓ９）。
【００１８】
図４は読み取られたカードイメージを示す図である。図に示す実施の形態例では、図中に示すＡ、Ｂ、Ｃの位置に文字コードが記憶されていることを示す。Ａは取引カードの先端部、Ｂは取引カードの中央部（エンボス部）、Ｃは取引カードの後端部である。７は取引カードの表面に形成されたＭＳ（磁気ストライプ）領域である。イメージセンサ３が正常に動作していれば、Ａ〜Ｃに記憶されている文字コードは、取引カード２のイメージデータに置き換わっているはずである。なお、文字コードがＡ〜Ｃに書き込まれている場合を示しているが、カードイメージ全体に文字コードを書き込むようにしてもよい。
【００１９】
ＣＰＵ１は読み出したデータがリード前と同じ文字コードであるかどうかチェックする（Ｓ１０）。読み出したデータがリード前と同じ文字コードである場合にはイメージセンサ不良であるから、異常終了する（Ｓ１１）。異常終了の態様としては、例えば図示しない表示部にイメージセンサ不良を表示することが考えられる。読み出したデータがリード前と同じ文字コードでない場合には、イメージセンサ３で読み取ったイメージデータがイメージメモリ４に書き込まれていることになるから、正常終了する（Ｓ１２）。その後、ＣＰＵ１は搬送機構（図示せず）を起動して退避位置に保持されている取引カード２を排出させる（Ｓ１３）。
【００２０】
以上のシーケンスにより、イメージセンサ３の動作の正常性が認識されたことになる。そこで、イメージセンサ３が正常であった場合には、取引カード２を用いた通常の取引が行なわれることになる。具体的には、現金の引き出し、預入れ等が考えられる。
【００２１】
この発明では、予めイメージメモリ４に特定のコードを書き込んでおき、その後イメージセンサ３で読み取ったカードイメージ情報をイメージメモリ４に書き込むようにする。イメージセンサ３が正常であれば、前記特定のコードはカードイメージにより上書きされて消失する。イメージセンサ３が不良の場合には、カードイメージを読み取らないので、イメージメモリ４に記憶された特定コードは消失せずに残っている。そこで、イメージメモリ４から特定のコードが読み出された場合にはイメージセンサ不良と判定することができ、イメージセンサの不良を確実に判定することができる。
【００２２】
図５は本発明のカード搬送機構の構成例を示す図である。図２と同一のものは、同一の符号を付して示す。図において、１０はレシートが排出されるレシート排出口である。レシートには、取引記録が印刷され、排出される。１１は取引カード２の挿入又は排出を行なうカード挿入／排出口である。取引カード２がカード挿入／排出口１１から排出されると同時に、レシート排出口１０から取引内容が印刷されたレシートが排出されるようになっている。図中に示される複数の◆印は、センサを示している。これらセンサは、取引カード２の通過の有無又は位置を検出するようになっている。
【００２３】
１２は取引カード２が搬送される搬送ラインである。取引カード２は、図示しない搬送機構により搬送ライン１２上を搬送される。１３は搬送ライン１２上に設けられた取引カード２の磁気ストライプ情報を読み取るＭＳヘッド、３は搬送ライン１２上に設けられたイメージセンサである。Ｑは取引装置内に引き込まれ、搬送機構により搬送された取引カード２が退避される退避位置である。
【００２４】
１４は振込券を発行するために用いられる印字ヘッド、１５は振込券又は取引カードが一時的に保持されるリジェクト部である。本発明によるイメージセンサ判定シーケンスが終了したら、取引カード２は搬送機構により搬送され、挿入／排出口１１まで持ってこられるが、ユーザが取引カード２を所定時間が経過しても取り出さない場合、該取引カード２は搬送機構で逆方向に搬送され、リジェクト部１５に保持される。
【００２５】
１６はロール状に巻かれたレシート、１７は該レシート１６の表面に取引履歴を印刷する印字ヘッドである。取引履歴が印刷されたレシートは、レシート排出口１０から排出される。従って、印字ヘッド１７で印字されたレシートをレシート排出口１０まで搬送する搬送機構が設けられている。１８は予備のレシートである。レシート排出口１０まで排出されたレシートをユーザが所定時間が経過しても取り出さない場合、当該レシートは図示しない搬送機構により、逆方向に矢印で示されるように搬送され、リジェクト部１９に保持される。
【００２６】
５はカード搬送機構とは別に配置されたジャーナルプリンタであり、取引カードのイメージを印刷するものである。
【００２７】
本発明によれば、取引時に取引カードをイメージセンサで読み取り、そのイメージを印刷記録するシステムにおいて、前記取引カードのイメージを記憶するメモリ上の所定の位置に特定のコードを書き込む工程（ステップ１）と、前記取引カードを前記イメージセンサで読み取って前記メモリに書き込む工程（ステップ２）と、前記メモリから書き込まれたデータを読み出す場合において、前記特定のコードが読み出された場合にはイメージセンサ不良と判定する工程（ステップ３）、とをコンピュータで実行することができる。
【００２８】
このように構成すれば、イメージセンサの動作不良を検出する工程をプログラムで実行することが可能となる。
【００２９】
上述の実施の形態例では、イメージセンサとしてエンボスセンサを用いた場合を例にとった。しかしながら、本発明はこれに限るものではなく、その他の種類の取引カードにも等しく適用することができる。
【００３０】
【発明の効果】
以上説明したように、本発明によれば、以下の効果が得られる。
（１）請求項１記載の発明によれば、予めメモリに特定のコードを書き込んでおき、その後イメージセンサで読み取ったカードイメージ情報をメモリに書き込むようにする。イメージセンサが正常であれば、前記特定のコードはカードイメージにより上書きされて消失する。イメージセンサ不良の場合には、カードイメージを読み取らないので、メモリに記憶された特定コードは消失せずに残っている。そこで、メモリから特定のコードが読み出された場合にはイメージセンサ不良と判定することができ、イメージセンサの不良を確実に判定することができる。（２）請求項２記載の発明によれば、予めイメージメモリに特定のコードを書き込んでおき、その後イメージセンサで読み取ったカードイメージ情報をイメージメモリに書き込むようにする。イメージセンサが正常であれば、前記特定のコードはカードイメージにより上書きされて消失する。イメージセンサが不良の場合には、カードイメージを読み取らないので、イメージメモリに記憶された特定コードは消失せずに残っている。そこで、イメージメモリから特定のコードが読み出された場合にはイメージセンサ不良と判定することができ、イメージセンサの不良を確実に判定することができる。
（３）請求項３記載の発明によれば、イメージセンサの動作不良を検出する工程をプログラムで実行することが可能となる。
【００３１】
このように、本発明によれば、イメージセンサの不良を確実に判定することができるイメージセンサの動作確認方法及び動作確認装置並びに動作確認プログラムを提供することができる。
【図面の簡単な説明】
【図１】本発明方法の原理を示すフローチャートである。
【図２】本発明の原理ブロック図である。
【図３】本発明の動作の一例を示すフローチャートである。
【図４】読み取られたカードイメージを示す図である。
【図５】本発明のカード搬送機構の構成例を示す図である。
【図６】従来の取引システムの概念図である。
【符号の説明】
１  ＣＰＵ
２  取引カード
３  イメージセンサ
４  イメージメモリ
５  ジャーナルプリンタ
６  書込／読出手段
【図１】
2004282457.tif 000003
【図２】
2004282457.tif 000004
【図３】
2004282457.tif 000005
【図４】
2004282457.tif 000006
【図５】
2004282457.tif 000007
【図６】
2004282457.tif 000008